(57)【要約】【課題】間接照明方式であって、光の広がりがよく、高さ方向の寸法が比較的小さな照明器具を提供する。【解決手段】光源として照明器具１０の下部に設けられたＬＥＤ基板６０，６１と、器具本体部２１の側面に略鉛直方向に設けられ、ＬＥＤ基板６０，６１の放射光を各々斜め上方向に反射させる第一反射部３０，３１と、照明器具１０の上部に設けられ第一反射部３０，３１が反射した反射光をさらに反射させて拡散させて車室内の照明を行う第二反射面５０，５１とを具備する。【選択図】図２
2015090728.tif 000002
【特許請求の範囲】
【請求項１】
反射光によって照明する照明器具であって、
略一様な断面形状の長尺状を呈する器具本体部と、
前記器具本体部の長手方向に沿って前記器具本体部に設けられた第一反射部と、
前記器具本体部の長手方向に沿って下方に設けられ、前記第一反射部に対して光を放射する光源基板と、
前記器具本体部の長手方向に沿って上方に設けられ、前記第一反射部から受けた反射光をさらに反射して拡散した反射光を放射する第二反射部と、
を備えることを特徴とする照明器具。
【請求項２】
前記第一反射部が、略鉛直面であり、前記第二反射部が、前記第一反射部と略直交する向きであって前記器具本体部に近い一端よりも他端が低くなるように傾斜していることを特徴とする請求項１に記載の照明器具。
【請求項３】
前記第一反射部が、前記光源側が凹面になった集光反射面と、前記光源基板側が凸面になった拡散反射面とを有することを特徴とする請求項１または請求項２に記載の照明器具。
【発明の詳細な説明】
【技術分野】
【０００１】
本発明は、列車等の車両の客室に備えられる照明器具に関するものである。
【背景技術】
【０００２】
従来、光源から反射板に光を照射し、反射板から放射される反射光によって照明を行う間接光方式の照明器具が知られている。例えば、特許文献１には、このような間接光方式の照明器具の一例が開示されている。特許文献１の照明器具によれば、ＬＥＤランプを光源として反射面に光を照射し、反射光で室内を照明することで、間接照明による柔らかく良好な照明状態を実現することができる。
【先行技術文献】
【特許文献】
【０００３】
【特許文献１】特開２００３−９２００６号公報
【発明の概要】
【発明が解決しようとする課題】
【０００４】
しかし、ＬＥＤは光の放射角が狭いため、ＬＥＤを光源とすると、反射面に対して一様に光が広がるように照射することが困難であった。特許文献１の照明器具においては、反射面のＬＥＤに対して近い部分と遠い部分とを比較すると、明るさは一様ではなく、ＬＥＤから遠い反射面の中央部が暗くなってしまう虞があった。また、反射面の広い範囲に対してＬＥＤの光を照射しようとすると、光源のＬＥＤと反射面である凹形曲面との距離を離す必要があり、照明器具の寸法が大きくなってしまう虞があった。特許文献１の照明器具のように天井に設けられる場合は、ＬＥＤを下部に配置し反射面をその上方に配置するので、照明器具自体の高さが高くなってしまう虞があった。
【０００５】
上記の実情を鑑み、本発明は、ＬＥＤを光源とした間接光式の照明器具であって、反射光の明るさにむらが少なく光が広がって、かつ器具の上下方向の高さが低い薄型の照明器具を提供することを目的とする。
【課題を解決するための手段】
【０００６】
本発明の照明器具は、「反射光によって照明する照明器具であって、長尺状を呈する器具本体部と、器具本体部の長手方向に沿って器具本体部に設けられた第一反射部と、器具本体部の長手方向に沿って下方に設けられ、第一反射部に対して光を放射する光源基板と、器具本体部の長手方向に沿って上方に設けられ、第一反射部から受けた反射光をさらに反射して拡散した反射光を放射する第二反射部と、を備える」ことを特徴とする。
【０００７】
本発明の電源装置によると、第一反射部によって反射された光を第二反射部に照射し、第二反射部からの反射光によって照明を行うので、光源基板から第二反射部に到達するまでの光の道のりを長くし、光を広がらせるようにすることができる。また、第一反射部で反射して拡散させた光を、さらに第二反射部で反射させて拡散させることにより、さらに反射光を広がらせることができる。ひいては、光源基盤と反射面とを遠ざけるために照明器具の高さを高くすることなく、明るさのむらが少ない間接照明を行うことができる。
【０００８】
また、本発明の照明装置は、「第一反射部が、略鉛直面であり、第二反射部は、第一反射部と略直交する向きであって器具本体部に近い一端よりも他端が低くなるように傾斜している」ものとしてもよい。
【０００９】
本構成によると、光源から放射された光を２段階で反射させながら、第二反射部の傾斜角に応じて所定範囲内に反射光が広がるように光を制御することができるので、照明器具の下方の過不足のない範囲を照明することができる。
【００１０】
さらに、本発明の電源装置の照明装置は、「第一反射部が、光源側が凹面になった集光反射面と、光源基板側が凸面になっており集光反射面よりも光源基板から遠い部分に設けられた拡散反射面とを有する」ものとしてもよい。
【００１１】
本構成によると、光源に近い低い位置に照射された光は第二反射部へと反射され、光源から遠い位置に照射された光は凸面によって広範囲に拡散され、第二反射部に照射されるとともに、一部は第二反射部を介さずに被照射領域である車室内に放射される。換言すると、第二反射部からの光が届かない範囲を第一反射部からの光の一部によって照明する。これにより、さらに広い範囲に光が広がるように照明するようにすることができる。
【発明の効果】
【００１２】
以上のように、本発明の照明器具によれば、第一反射部と第二反射部とを備え、光源と反射面との間の道のりを長くすることにより、ＬＥＤを光源とした間接光によって照明する照明器具であって、反射光の明るさにむらが少なく、かつ器具の上下方向の高さが低い薄型の照明器具を提供することができる。
【図面の簡単な説明】
【００１３】
【図１】本発明の一実施形態である照明器具の構成を示す説明図。
【図２】照明器具の構成を示す断面図。
【図３】本発明の他の実施形態である照明器具の構成を示す断面図。
【発明を実施するための形態】
【００１４】
以下、本発明の一実施形態である照明器具１０について、図１及び図２に基づき説明する。図１は、照明器具１０を下方から見た状態を示す説明図であり、図２は、照明器具１０の構成を示す断面図である。
【００１５】
図１は、天井面Ｃに取り付けられた照明器具１０を鉛直下方からに見た状態を示す説明図である。鉄道車両の天井面Ｃに対して、鉄道車両の前後方向と略並行になるように、複数の照明器具１０が長手方向に直線的に並べて設置される。照明器具１０の列は、天井面Ｃの中央部に１列、または車両の左右方向に各１列ずつ並べた２列で設けられることが好ましい。
【００１６】
図２に示すように、照明器具１０は、金属性のケーシング２０に種々の部品が取り付けられて構成されている。ケーシング２０は、例えばアルミニウムを素材として押出成型で形成された長手状の部材であり、全長は１．８ｍ程度、全幅は０．５ｍ程度である。図２に示すように、本例のケーシング２０は、長手方向に直交する断面形状が一様であって、概ね左右対称になっている。ケーシング２０は、二股に鉛直下方に延びる形状であり、いわばｎ字状を呈する器具本体部２１を有しており、器具本体部２１の両外側側面には、第一反射部３０，３１を有し、上部中央に溝部３５の内側下方から取付ネジ３３が挿通されるネジ孔３７が４箇所設けられている。また、ケーシング２０は、器具本体部２１の下部から左右両側に延出する光源保持部４０，４１、器具本体部２１の上部から左右両側に延出する第二反射部５０，５１を備えている。
【００１７】
図１及び図２に示すように、照明器具１０は、ケーシング２０の両端にエンドキャップ１２が取り付けられており、４本の取付ネジ３３によって車体の取付基部９０に取り付けられる。取付基部９０は、天井面Ｃに設けられた溝状の照明器具取付部Ｒ内に固定されており、取り付けられた照明器具１０を吊下げて支持する。
【００１８】
光源保持部４０，４１の内側（上側）には、各々ＬＥＤ基板６０，６１が、いずれも内側斜め上向きに取り付けられており、各々の斜め上方の第一反射部３０，３１に向けて光を照射する。また、ＬＥＤ基板６０，６１の上方を覆うようにカバー７０，７１が各々取り付けられている。ＬＥＤ基板６０，６１は、細長い長尺状のプリント基板に多数のＬＥＤを直線状に配列して搭載して構成されており、照明器具１０の光源となる。カバー７０，７１は、透明度の高い素材によって形成された長方形の板状を呈しており、ＬＥＤ基板６０，６１が搭載された光源保持部４０，４１を封じて埃や虫などの異物の侵入を防いでいる。カバー７０，７１は、本例においてはガラス製であり、その表面は摺ガラス状になっており、透過光を拡散する。カバー７０，７１の素材はガラスに限定されず、ポリカーボネイト等のプラスチック製であってもよい。また、カバー７０，７１の表面仕上げは滑らかであってもよいし、レンズカット等の光拡散効果のある表面加工が施してあってもよい。ここで、ＬＥＤ基板６０，６１が、本発明の光源基板に相当する。
【００１９】
図２に示すように、第一反射部３０，３１は、ケーシングの長手方向に延びる細長い面であり、上側方に向けてやや凸になった２次曲面を呈する。第二反射部５０，５１も同様に、ケーシングの長手方向に延びる細長い面であり、中央下方に向けてやや凸になった長尺の２次曲面を呈する。第二反射部５０，５１は、中央部が両端部より高い位置にあり、第一反射部３０，３１の側に向くようにわずかに傾斜している。第一反射部３０，３１および第二反射部５０，５１は、いずれも光沢のある塗装仕上げとなっていることが好ましい。
【００２０】
照明器具１０は、照明器具取付部Ｒ内に設けられた直流電源装置（図示しない）からＬＥＤ基板６０，６１に直流電流の供給を受けて、ＬＥＤ基板６０，６１に搭載されたＬＥＤを発光させて室内を照明する。ＬＥＤが放射した光は、第一反射部３０，３１に対して斜め下方から入射するように照射される。第一反射部３０，３１に照射された光は、第一反射部３０，３１の曲面形状に従って斜め上側方へと反射されて拡散する。第一反射部３０，３１で反射された反射光は大部分がそれぞれ第二反射部５０，５１に到達し、第二反射部５０，５１の形状に従って下方から下側方にかけて反射されて拡散する。そして、第二反射部５０，５１からの反射光によって車室内を照明する。
【００２１】
ところで、ＬＥＤによって直接に車室内を照明するための反射面に光を照射する場合には、ＬＥＤと反射面との距離が近いために十分に光が拡散せず、明るさにむらが生じやすいという問題があった。そして、ＬＥＤと反射面との距離を長くすると、照明器具の高さ方向の寸法が大きくなってしまうという問題があった。これに対し、本実施形態の照明器具１０によると、ＬＥＤ基板６０，６１から照射され第一反射部３０，３１によって反射された光を第二反射部５０，５１に照射し、第二反射部５０，５１からの反射光によって照明を行うので、ＬＥＤ基板６０，６１から第二反射部５０，５１に到達するまでの光の道のりを長くし、光を広がらせるようにすることができる。また、第一反射部３０，３１で反射して拡散させた光を、さらに第二反射部５０，５１で反射させて拡散させることにより、さらに反射光を広がらせることができる。
【００２２】
また、照明器具１０によると、曲面である第一反射面３０，３１で反射して拡散した反射光をさらに第二反射面５０，５１に反射させて拡散させて間接照明を行うため、より広い範囲に光を広がらせることができる。
【００２３】
さらに、照明器具１０によると、ＬＥＤ基板６０，６１は、内側斜め上向きに取り付けられているため、乗客が側下方から見上げた場合に光源が直接視認されることがなく、眩しさを感じさせにくい。
【００２４】
また、照明器具１０によると、ＬＥＤ基板６０，６１から放射された光を２段階で反射させながら、第二反射部５０，５１の傾斜角に応じて所定範囲に反射光が広がるように光を制御することができるので、過不足のない範囲を照明することができる。
【００２５】
なお、本発明の実施形態は上記の構成に限定されるものではなく、以下に示すように種々に変更することができる。
【００２６】
上記の実施形態では、第一反射部３０，３１は、全体が外向きに凸面状になった曲面であるものを示したが、これに限定されるものではなく、反射面の部位によって湾曲方向が異なるものであってもよい。図３は、そのような反射面を有する本発明の他の実施形態である照明器具の構成を示す断面図である。図３に示すように、照明器具１００の第一反射部は、反射面上部３００ａ，３１０ａは外向きに凸面状に湾曲しているが、反射面下部３００ｂ，３１０ｂは凹面上になっている。このような反射面構成とすることで、第二反射部５０，５１の外側により強い光を照射し、一層広範囲に光を拡散させて広範囲を照明することができる。ここで、反射面上部３００ａ，３１０ａが、本発明の拡散反射面に相当し、反射面下部３００ｂ，３１０ｂが、本発明の集光反射面に相当する。
【００２７】
本発明の実施形態の構成から把握できる技術的思想について、それらの効果とともに以下に追記する。
【００２８】
（１）本発明の照明器具は、「反射光によって照明する照明器具であって、略一様な断面形状の長尺状を呈する器具本体部と、前記器具本体部の長手方向に沿って前記器具本体部の中央部の左右両側に設けられた一対の第一反射部と、前記器具本体部の長手方向に沿って前記中央部の左右下部に一対で設けられ、前記一対の第一反射部に対して各々光を放射する光源基板と、前記器具本体部の長手方向に沿って左右上部に一対で設けられ、前記一対の第一反射部からの反射光を各々さらに反射して拡散した反射光を放射する第二反射部と、を備えることを特徴とする照明器具」とすることもできる。
【００２９】
この場合、光源を中央部に配して、両側方に第一反射部及び第二反射部を備えていることにより、光源の両側を照明するようになり、さらに広い範囲を照明することができる照明器具を提供することができる。
【符号の説明】
【００３０】
１０…照明器具，２１…器具本体部、３０，３１…第一反射部、５０，５１…第二反射部、６０，６１…ＬＥＤ基板（光源基板）、１００…照明器具、３００，３１０…第一反射部、３００ａ，３１０ａ…反射面上部（拡散反射面）、３００ａ，３１０ａ…反射面下部（集光反射面）、
【図１】
2015090728.tif 000003
【図２】
2015090728.tif 000004
【図３】
2015090728.tif 000005